(57)【特許請求の範囲】
【請求項１】
第１のノードと、複数の第２のノードのそれぞれとの間の少なくとも一部に無線通信区間を有する無線ネットワークシステムの前記無線通信区間をその中に含む地域それぞれについて、将来の気象状態を予報する情報である気象予報情報を、ネットワークを介して取得する手段と、
前記無線通信区間を含む地域の前記気象予報情報に基づいて、前記複数の第２のノードのそれぞれに対し、優先度を付与する手段と、
前記付与した優先度に基づいて、前記複数の第２のノードの中から一の第２のノードを選択し、選択した第２のノードに対して第１のノードからデータを転送する手段と
を備えることを特徴とする、無線ネットワークシステム。
【請求項２】
第２のノードの下位ノードである第３のノードを、少なくともひとつの第２のノードの下位に備え、
第１のノードと第２のノードとの間で行なうデータ転送を１次データ転送と呼び、第２のノードとその下位の第３のノードとの間で行なうデータ転送を２次データ転送と呼ぶとき、１次データ転送と２次データ転送の少なくとも一部を同時並行に行なう
ことを特徴とする、請求項１に記載の無線ネットワークシステム。
【請求項３】
第２のノードの下位ノードである第３のノードを、複数の第２のノードの下位に備え、
第２のノードとその下位の第３のノードとの間で行なうデータ転送を２次データ転送と呼ぶとき、複数の２次データ転送の少なくとも一部を同時並行に行なう
ことを特徴とする、請求項１及び請求項２のいずれかに記載の無線ネットワークシステム。
【請求項４】
気象予報情報は、降雨量、降雪量、風力、温度、湿度、濃霧、落雷に関する情報の少なくともひとつを含むことを特徴とする、請求項１乃至請求項３のいずれかに記載の無線ネットワークシステム。
【請求項５】
第１のノードと、複数の第２のノードのそれぞれとの間の少なくとも一部に無線通信区間を有する無線ネットワークシステムの前記無線通信区間をその中に含む地域それぞれについて、将来の気象状態を予報する情報である気象予報情報を取得する段階と、
前記無線通信区間を含む地域の前記気象予報情報に基づいて、前記複数の第２のノードのそれぞれに対し、優先度を付与する段階と、
前記付与した優先度に基づいて、前記複数の第２のノードの中から一の第２のノードを選択し、選択した第２のノードに対して第１のノードからデータを転送する段階と
を含むことを特徴とする、無線ネットワークシステムの通信方法。
【請求項６】
第２のノードの下位ノードである第３のノードを、少なくともひとつの第２のノードの下位に備え、
第１のノードと第２のノードとの間で行なうデータ転送を１次データ転送と呼び、第２のノードとその下位の第３のノードとの間で行なうデータ転送を２次データ転送と呼ぶとき、１次データ転送と２次データ転送の少なくとも一部を同時並行に行なう
ことを特徴とする、請求項５に記載の無線ネットワークシステムの通信方法。
【請求項７】
第２のノードの下位ノードである第３のノードを、複数の第２のノードの下位に備え、
第２のノードとその下位の第３のノードとの間で行なうデータ転送を２次データ転送と呼ぶとき、複数の２次データ転送の少なくとも一部を同時並行に行なう
ことを特徴とする、請求項５及び請求項６のいずれかに記載の無線ネットワークシステムの通信方法。
【請求項８】
気象予報情報は、降雨量、降雪量、風力、温度、湿度、濃霧、落雷に関する情報の少なくともひとつを含むことを特徴とする、請求項５乃至請求項７のいずれかに記載の無線ネットワークシステムの通信方法。
【発明の詳細な説明】
【技術分野】
【０００１】
本発明は、階層化されたネットワークにおいて、上位ノードから複数の下位ノードに対して同一のデータを配信する技術に関し、特に、上位ノードと下位ノードとの通信経路の少なくとも一部が無線通信であるような無線ネットワークシステムにおいて行なうデータ配信技術に関する。
【背景技術】
【０００２】
ネットワーク管理システム（ＮＭＳ）と無線装置（ＮＥ）とからなる大規模な無線ネットワークシステムを考える。ＮＭＳとＮＥの間で無線データ通信を行なうものとする。この無線ネットワークシステムにおいて、ＮＭＳからＮＥにリモートでファイル・ダウンロードを行なうと、従来は長い時間を要していた。
【０００３】
理由として２つあり、ひとつには無線通信区間で回線断が発生するからである。一般に、無線通信区間の無線通信状況は一定ではなく、無線通信区間の気象条件等により変化する。無線通信状況が悪い場合は回線断が発生し、リトライ送信が必要となる。
【０００４】
もうひとつには、大規模無線ネットワークシステムはＮＥの数が多いが、従来の手法では、ＮＭＳから各ＮＥに順次ダウンロードを行なうので、全ＮＥにダウンロードを行なうために要する時間がＮＥの数に比例して長時間化するからである。例えば、１台のＮＭＳで5000台のＮＥを監視し、１台のダウンロードに要する時間を５分とすると、全ＮＥへのダウンロードに要する時間は5000 x 5 = 25000分(約17日)である。
【０００５】
本発明に関連する技術が記載されている先行技術文献として特許文献１を挙げる。
【先行技術文献】
【特許文献】
【０００６】
【特許文献１】特開２００２−３０４２９９号公報
【発明の概要】
【発明が解決しようとする課題】
【０００７】
本発明はこのような状況に鑑みてなされたものであり、本発明が解決しようとする課題は、無線ネットワークにて行なうファイル配信の高速化である。
【課題を解決するための手段】
【０００８】
上述の課題を解決するため、本発明は、その一態様として、第１のノードと、複数の第２のノードのそれぞれとの間の少なくとも一部に無線通信区間を有する無線ネットワークシステムの前記無線通信区間をその中に含む地域それぞれについて、将来の気象状態を予報する情報である気象予報情報を、ネットワークを介して取得する手段と、前記無線通信区間を含む地域の前記気象予報情報に基づいて、前記複数の第２のノードのそれぞれに対し、優先度を付与する手段と、前記付与した優先度に基づいて、前記複数の第２のノードの中から一の第２のノードを選択し、選択した第２のノードに対して第１のノードからデータを転送する手段とを備えることを特徴とする、無線ネットワークシステムを提供する。
【０００９】
また、本発明は、他の一態様として、第１のノードと、複数の第２のノードのそれぞれとの間の少なくとも一部に無線通信区間を有する無線ネットワークシステムの前記無線通信区間をその中に含む地域それぞれについて、将来の気象状態を予報する情報である気象予報情報を取得する段階と、前記無線通信区間を含む地域の前記気象予報情報に基づいて、前記複数の第２のノードのそれぞれに対し、優先度を付与する段階と、前記付与した優先度に基づいて、前記複数の第２のノードの中から一の第２のノードを選択し、選択した第２のノードに対して第１のノードからデータを転送する段階とを含むことを特徴とする、無線ネットワークシステムの通信方法を提供する。
【発明の効果】
【００１０】
本発明によれば、大規模な無線ネットワークにおいて、上位ノード（例えばネットワーク管理システム、ＮＭＳ）から下位ノード（例えば無線装置、ＮＥ）へ高速にファイルを転送することができる。
【図面の簡単な説明】
【００１１】
【図１】本発明の一実施の形態である無線ネットワークシステム１のブロック図である。
【図２】本発明の一実施例である無線ネットワークシステム１０のブロック図である。
【図３】ＮＭＳ１２のブロック図である。
【図４】サブネット先頭ＮＥのブロック図である。
【図５】サブネット先頭ＮＥ以外のＮＥのブロック図である。
【図６】ＮＭＳ１１の動作を説明するためのフローチャートである。
【図７】無線ネットワークシステム１１において、ＮＥ１２が行なうファイルダウンロードの手順について説明するための図である。
【図８】ＮＭＳ１１とサブネット先頭ＮＥとの間で行なうファイル転送の手順について説明するための図である。
【図９】ＮＭＳ１１、各ＮＥ１２の記憶装置に格納されているＭＩＢの構造を説明するための図である。
【図１０】サブネット先頭ＮＥから同じサブネットに属する他ＮＥへのファイル転送の手順を説明するための図である。
【図１１】ＭＩＢのオブジェクトの例である。
【発明を実施するための形態】
【００１２】
図１を参照して本発明の無線ネットワークシステム１について説明する。無線ネットワークシステム１は、ネットワーク管理システム（Ｎｅｔｗｏｒｋ  Ｍａｎａｇｅｍｅｎｔ  Ｓｙｓｔｅｍ、ＮＭＳ）２、複数の無線装置（Ｎｅｔｗｏｒｋ  Ｅｌｅｍｅｎｔ、ＮＥ）３−０００１、３−０００２、・・・、３−５０００（総称してＮＥ３と記す）を備える。ＮＭＳ２と各ＮＥ３は無線回線を介して接続される。ＮＭＳ２は各ＮＥ３との無線回線の状況を監視する手段を備え、無線回線状況が良好なＮＥから優先してダウンロードを実行する。
【００１３】
無線回線状況の監視手段としては、現在の回線状況を監視するものでもよいが、特に、将来の回線状況を予測するものが好ましい。より具体的には、ＮＭＳ２は、例えば外部の気象予報情報を提供する気象予報サーバと通信を行なう手段を備えることが考えられる。一般に、無線回線状況は、降雨量、降雪量、風力、温度、湿度、濃霧、落雷等の気象状況に影響を受ける。ＮＭＳ２は、これらの気象状況に関する予報情報を気象予報サーバから受信し、予報情報に基づいて、現在の無線回線状況ではなく、気象状況の変化を考慮した将来の無線回線状況の予測に基づいて、良好なＮＥから優先してダウンロードを実行することとしてもよい。
【００１４】
これにより、無線回線状況が現に良好、或いは、将来に良好と予測され、従ってダウンロード実行中に回線断が発生しにくいＮＥについては、ダウンロードを優先的に実行し、結果としてすべてのＮＥ３へのダウンロードの過程で発生する回線断の回数を減らすことができる。
【００１５】
一方、無線回線状況が現に不良、或いは、将来不良になると予測され、従ってダウンロード実行中に回線断が発生しやすいＮＥについては、ダウンロードを後回しにすることにより、例えば気象状況の変化等による無線回線状況の好転を期待することができる。
【００１６】
また、ＮＭＳ２は、全てのＮＥ３にファイル・ダウンロードを行なうのではなく、一部のＮＥのみにファイル・ダウンロードを行ない、残りのＮＥについてはＮＭＳ２からファイル・ダウンロードを行なったＮＥからファイル・ダウンロードを行なう。例えば、図１に示すように、ＮＥ３を複数のサブネットSubnet_1、Subnet_2、Subnet_3、・・・、Subnet_500に区分し、各サブネットにおいてＩＰアドレスが最も小さいＮＥがＮＭＳ２からファイルを受信する一方、そのＮＥが同じサブネットに属する他のＮＥに対し、ＮＭＳ２から受信したファイルを転送する。以下、各サブネットにおいて最も小さいＩＰアドレスを有するＮＥをサブネット先頭ＮＥと呼ぶものとする。
【００１７】
上述したように、サブネット先頭ＮＥは同じサブネットに属するＮＥに対してファイルを転送するが、この転送処理を、ＮＭＳ２が他のサブネット先頭ＮＥを対象として行なうデータ転送と同時並行的に行なう。即ち、ここで、ＮＭＳ２とサブネット先頭ＮＥとの間で行なうデータ転送を１次データ転送と呼び、サブネット先頭ＮＥと同じサブネットに属する他のＮＥとの間で行なうデータ転送を２次データ転送と呼ぶとき、１次データ転送と２次データ転送とを同時並行的に行なう。例えば、まず、ＮＭＳ２は、サブネット先頭ＮＥであるＮＥ３−０００１に対してファイルを転送する。その完了後、サブネットSubnet_1の残りのＮＥであるＮＥ３−０００２、ＮＥ３−０００３、・・・、ＮＥ３−００１０に対し、受信したファイルを順次転送するように指示するファイル・ダウンロード指示を、ＮＥ３−０００１に対して送信する。これとともに、ＮＭＳ２は、他サブネットのサブネット先頭ＮＥであるＮＥ３−００１１に対してファイルを転送する。
【００１８】
これにより、無線ネットワークシステム１では、ＮＥ３−０００１から（例えば）ＮＥ３−０００２へのファイル・ダウンロードと、ＮＭＳ２からＮＥ３−００１０へのファイル・ダウンロードとが同時並行的に行なうことができる。このように、無線ネットワークシステム１の中で動じ並行的にファイル・ダウンロードを実行することにより、ＮＭＳ２から全ＮＥ３へのファイル・ダウンロードが完了するまでの所要時間を短縮することができる。
【００１９】
例えば、図1の無線ネットワークシステム１では、5000台のＮＥ３を５００個のサブネットSubnet_1、Subnet_2、・・・Subnet_500に区分し、各サブネットに１０台のNEを割り当てているので、サブネット先頭NEは500台である。１台にダウンロードする時間を５分とすると、全装置へのダウンロード時間は 500(サブネット先頭無線装置) x 5 + 10（サブネット先頭装置配下装置）x 5 = 2550分(約1.8日) であり、従来のダウンロード時間の1/10になる。
【実施例１】
【００２０】
本発明の一実施例である無線ネットワークシステム１０について図２を参照して説明する。無線ネットワークシステム１０は、ネットワーク管理システム（ＮＭＳ）１１、管理対象装置（ＮＥ）１２−００１、１２−００２、・・・、１２−０１３、天気予報サーバ１４を備える。ＮＥ１２−００１、１２−００２、・・・、１２−０１３を総称してＮＥ１２と記すこともある。表１に示すように、無線ネットワークシステム１０は４つのサブネットSubnet-1、Subnet-2、Subnet-3、Subnet-4を有する。
【００２１】
【表１】
0005874894.tif 000002
【００２２】
ＮＭＳ１２は、図３に示すように、ＳＮＭＰ(Simple Network Management Protocol)マネジャー、ＦＴＰ(File Transfer Protocol)サーバを備えるサーバコンピュータであり、ＮＥ１２−００１、１２−００２、１２−００６及び１２−０１０と無線通信を行なうための無線通信インタフェースを備える。また、ＮＭＳ１２は、天気予報サーバ１４と有線乃至無線の通信を行なうための有線乃至無線の通信インタフェースを備える。
【００２３】
ＮＥ１２は、ＮＭＳ１２や他のＮＥと無線通信を行なうための無線通信インタフェースと、ＧＰＳ受信機を備えるコンピュータである。ＮＥ１２−００２、ＮＥ１２−００６、ＮＥ１２−０１０は、それぞれサブネットSubnet-2、Subnet-3、Subnet-4に属するＮＥの中でＩＰアドレスが最小のものであり、以下サブネット先頭ＮＥとも呼ぶ。図４に示すように、サブネット先頭ＮＥはＳＮＭＰエージェント、ＦＴＰサーバ、ＦＴＰクライアントを備え、ＮＭＳ１１及び同じサブネットに属する他のＮＥと無線通信を行なう。ＮＥ１２−００３〜００５、１２−００７〜００９、１２−０１１〜０１３は、図５に示すように、ＳＮＭＰエージェントとＦＴＰクライアントを備え、それぞれ同じサブネットのサブネット先頭ＮＥと無線通信を行なう。
【００２４】
天気予報サーバ１４は、例えば気象庁や気象予報士が作成した天気予報情報を、無線乃至有線の回線を介してＮＭＳ１２に提供するサーバコンピュータである。天気予報情報は、ＮＭＳ１１がＮＥ１２と無線通信可能なサービスエリアを細分化した地域毎に作成されて、天気予報サーバ１４にて提供される。本実施例では、天気予報情報は、将来の降雨確率を予測した情報と、将来の雨雲の動きを予測した情報を含むものとする。
【００２５】
次に、無線ネットワークシステム１０においてＮＭＳ１１から各ＮＥに対してファイルを配布するときの動作について図６を参照して説明する。ＮＭＳ１１からＮＥに配布されるファイルは同一である。
【００２６】
ＮＭＳ１１の記憶装置には表２のような管理テーブルが予め格納されている。また、管理テーブルと整合する内容のネットワーク設定ファイルが予め作成されて、ＮＭＳ１１に読み込まれている。ネットワーク設定ファイルは、各ＮＥ１２のＩＰアドレス、サブネットマスク、各ＮＥ１２がサブネット先頭ＮＥか否かを示すフラグを格納している。このうち各ＮＥ１２のＩＰアドレスは管理テーブルのものと一致する。サブネット先頭ＮＥか否かを示すフラグは、管理テーブルにおいて同一サブネットに属するＮＥのうち、ＩＰアドレスが最小のもののフラグはオンになり、そのサブネットの他のＮＥのフラグはオフになる。例えばサブネットSubnet-2に属するＮＥ１２−００２〜００５のうち、ＩＰアドレスが最小なのはＮＥ１２−００２なので、ＮＥ１２−００２のフラグがオンになり、ＮＥ１２−００３〜００５のフラグはオフになる。
【００２７】
【表２】
0005874894.tif 000003
【００２８】
次に、ＮＭＳ１１はネットワーク設定ファイルを参照し、各ＮＥ１２に対して位置情報の問い合わせを送信する（ステップＳ３１）。この問い合わせに応じて、ＮＥ１２はそれぞれＧＰＳ受信機を用いてＧＰＳ測位を行ない、自装置の現在位置を取得し、ＮＭＳ１１に送信する。ＮＥ１２から位置情報を受信すると、ＮＭＳ１１は管理テーブルのそのＮＥ１２の位置情報欄にその位置情報を登録する。
【００２９】
次に、ＮＭＳ１１は管理テーブルから各ＮＥ１２の位置情報を読み出して、その位置情報が示す位置における所定時間以内、ここでは例として問い合わせ時点から２４時間後までの天気予報情報を、天気予報サーバ１４に対して問い合わせる（ステップＳ３２）。本実施例では天気予報情報として雨雲情報と降水確率を用いる。雨雲情報は雨雲の動きに関する情報であり、雨雲の現在位置及び所定時間内の雨雲の予想経路に関する情報である。本実施例では今後２４時間の雨雲の予想経路に関する情報となる。降水確率は所定時間内にその地域で雨が降る確率である。この問い合わせに応じて、天気予報サーバ１４は、予め格納されている、その位置における今後２４時間の天気予報情報をＮＭＳ１１に送信する。これを受信したＮＭＳ１１は管理テーブルの該当する欄に雨雲情報、降水確率を登録する。
【００３０】
次に、ＮＭＳ１１は管理テーブルの雨雲情報、降水確率に基づいて、各ＮＥ１２のダウンロード優先度を求め、管理テーブルの対応する欄に登録する（ステップＳ３３）。ダウンロード優先度は次のようにして求める。
【００３１】
（１）管理テーブルの雨雲情報に基づいて、各ＮＥ１２が予想経路上にあるか否かをＮＭＳ１１が判定する。
【００３２】
（２）そのＮＥが予想経路上にない場合、ＮＭＳ１１は、そのＮＥに対して高いダウンロード優先度を定め、管理テーブルのそのＮＥに対応するダウンロード優先度欄に格納する。
【００３３】
（３）そのＮＥが予想経路上にある場合、ＮＭＳ１１は、管理テーブルに格納されたそのＮＥの降水確率に応じてダウンロード優先度を定める。一般に、電波は降雨により減衰し、無線通信状況は悪化する。そこで、降水確率が高いほど無線通信状況が悪いと判断し、ダウンロード優先度を低く定める。定めたダウンロード優先度を、ＮＭＳ１１は、管理テーブルにおいてそのＮＥに対応するダウンロード優先度欄に格納する。
【００３４】
ここで、管理テーブルが表３のような状態になっているものとする。表３では、ＮＥ１２−００２の位置情報はLAT2, LNG2であり、同位置情報が示す地点を含む地域における雨雲情報によると、２４時間以内に同地域に雨雲が現れることはなく、同地域の降水確率はゼロである。ＮＥ１２−００６の位置情報はLAT6, LNG6、同位置情報が示す地点を含む地域には２４時間以内に雨雲が現れることが予想されており、同地域の降水確率は３０パーセントである。ＮＥ１２−０１０の位置情報はLAT10, LNG10、同位置情報が示す地点を含む地域には２４時間以内に雨雲が現れることが予想されており、同地域の降水確率は７０パーセントである。この表３に対して上述のようにしてダウンロード優先度を求めると、ＮＥ１２−００２のダウンロード優先度が最も高く、ＮＥ１２−０１０のダウンロード優先度が最も低くなる。
【００３５】
【表３】
0005874894.tif 000004
【００３６】
次に、ＮＭＳ１１はダウンロード優先度が高いサブネット先頭ＮＥを優先してファイルを転送する（ステップＳ３４）。図７に示すように、ＮＭＳ１１はまずＮＥ１２−００１にファイルを転送（１回目ダウンロード）し、次に、最初にダウンロード優先度が最も高いＮＥ１２−００２にファイルを転送（２回目ダウンロード）する。
【００３７】
ＮＥ１２−００２へのファイル転送が完了すると、ＮＭＳ１１は、ＮＥ１２−００２の次にダウンロード優先度が高いサブネット先頭ＮＥであるＮＥ１２−００６にファイルを転送するが、このとき、既にファイル転送済みであるＮＥ１２−００２に対して、同じサブネットに属する他のＮＥにファイルを転送するように指示し、この指示に応じてＮＥ１２−００２はＮＥ１２−００３にファイルを転送する（３回目ダウンロード）。
【００３８】
ＮＥ１２−００６へのファイル転送が完了すると、ＮＭＳ１１は、その次にダウンロード優先度が高いサブネット先頭ＮＥであるＮＥ１２−０１０にファイル転送するとともに、既にファイル転送済みであるＮＥ１２−００２、ＮＥ１２−００６のそれぞれに対して、同じサブネットに属する他のＮＥにファイルを転送するように指示し、この指示に応じてＮＥ１２−００２はＮＥ１２−００４にファイルを転送し、ＮＥ１２−００６はＮＥ１２−００７にファイル転送する（４回目ダウンロード）。
【００３９】
ＮＥ１２−０１０へのファイル転送が完了すると、サブネット先頭ＮＥへのファイル転送は全て完了したことになる。このときＮＭＳ１１は各サブネット先頭ＮＥ１２−００２、ＮＥ１２−００６、ＮＥ１２−０１０のそれぞれに対し、同じサブネットに属する他のＮＥにファイルを転送するように指示する。この指示に応じて、ＮＥ１２−００２はＮＥ１２−００５に、ＮＥ１２−００６はＮＥ１２−００８に、ＮＥ１２−０１０はＮＥ１２−０１１にそれぞれファイルを転送する（５回目ダウンロード）。この段階でＮＥ１２−００２は同じサブネットに属する他ＮＥ全てに対してファイルの転送を完了する。
【００４０】
次に、ＮＭＳ１１はＮＥ１２−００６とＮＥ１２−０１０に対し、同じサブネットに属する他のＮＥにファイルを転送するように指示する。この指示に応じて、ＮＥ１２−００６はＮＥ１２−００９に、ＮＥ１２−０１０はＮＥ１２−０１２にそれぞれファイルを転送する（６回目ダウンロード）。この段階でＮＥ１２−００６は同じサブネットに属する他ＮＥ全てに対してファイルの転送を完了する。
【００４１】
最後に、ＮＭＳ１１はＮＥ１２−０１０に対し、同じサブネットに属する他のＮＥにファイルを転送するように指示する。この指示に応じて、ＮＥ１２−０１０はＮＥ１２−０１３にファイルを転送する（７回目ダウンロード）。この段階でＮＥ１２−０１０は同じサブネットに属する他ＮＥ全てに対してファイルの転送を完了する。
【００４２】
以上のように、ＮＭＳ１１は、各サブネット先頭ＮＥの所在地での雨雲情報、降水確率に基づいて、無線通信が降雨の影響を受けにくいものから優先してファイルを転送する。また、ＮＭＳ１１からサブネット先頭ＮＥへのファイル転送と同時並行的に、既にファイルが転送されたサブネット先頭ＮＥから、そのサブネット先頭ＮＥと同じサブネットに属するＮＥへのファイル転送を行なう。これにより、ＮＭＳ１１から全ＮＥ１２にファイルを転送するための所要時間を短縮することができる。
【００４３】
ＮＭＳ１１とサブネット先頭ＮＥ１２の間で行なうファイル転送について図８を参照して更に説明する。ここでは、上述の説明と同様に、サブネット先頭ＮＥ１２−００２、ＮＥ１２−００６、ＮＥ１２−０１０の順番にダウンロード優先度が高いものとする。上述したように、各ＮＥ１２はＳＮＭＰエージェントを備え、各ＮＥ１２の記憶装置には、それぞれ図９に示すようなＭＩＢ（Ｍａｎａｇｅｍｅｎｔ  Ｉｎｆｏｒｍａｔｉｏｎ  Ｂａｓｅ）が予め格納されている。ＮＭＳ１１の記憶装置には、これらＮＥ１２のＭＩＢに対応するＭＩＢが予め格納されている。ここではファイル転送用のプロトコルとしてＦＴＰ（Ｆｉｌｅ  Ｔｒａｎｓｆｅｒ  Ｐｒｏｔｏｃｏｌ）を用いるものとして説明するが、その代わりにＳＦＴＰ（ＳＳＨ  Ｆｉｌｅ  Ｔｒａｎｓｆｅｒ  Ｐｒｏｔｏｃｏｌ）を用いることとしてもよい。
【００４４】
まず、ＮＭＳ１１は、ダウンロード優先度が最も高いＮＥ１２−００２にＦＴＰログイン（ステップS４０１）し、続いてＮＥ１２−００２がＮＭＳ１１からダウンロードするファイルのディレクトリＤ及びファイル名Ｆを通知する（ステップS４０２）。これを受けて、ＮＥ１２−００１は、通知されたディレクトリＤ及びファイル名Ｆを指定して、ＮＭＳ１１のＦＴＰサーバに格納されたファイルの送信を要求するコマンドＲＥＴＲをＮＭＳ１１に送信する（ステップＳ４０３）。これによりＮＭＳ１１とＮＥ１２−００２の間でファイルダウンロード処理（ステップS４０４）を開始する。
【００４５】
ダウンロード終了後、ＳＮＭＰエージェントとして働くＮＥ１２−００２から、ＳＮＭＰマネージャーとして働くＮＭＳ１１に対しダウンロード終了を伝えるため、ＳＮＭＰ（Ｓｉｍｐｌｅ  Ｎｅｔｗｏｒｋ  Ｍａｎａｇｅｍｅｎｔ  Ｐｒｏｔｏｃｏｌ）のＰＤＵ（Ｐｒｏｔｏｃｏｌ  Ｄａｔａ  Ｕｎｉｔ）であるＴｒａｐを送信する（ステップS４０５）。
【００４６】
サブネット先頭NEからダウンロード終了のＳＮＭＰ  Ｔｒａｐを受信するとＮＭＳ１１はＮＥ１２−００２からＦＴＰログアウトする（ステップS４０６）。
【００４７】
以下、ＮＭＳ１１と他のサブネット先頭NEであるＮＥ１２−００６、ＮＥ１２−０１０との間でも同様である。
【００４８】
次に、ＮＭＳ１１の管理下で、サブネット先頭ＮＥが同じサブネットに属する他のＮＥにファイル転送する際の動作について図１０を参照して説明する。この動作は同一サブネットに複数のＮＥが存在する場合に行なう。上述したように、各ＮＥ１２の記憶装置には、それぞれ図９に示すようなＭＩＢが予め格納されている。ＮＭＳ１１の記憶装置には、これらＮＥ１２のＭＩＢに対応するＭＩＢが予め格納されている。図１１にＭＩＢのオブジェクトを示す。
【００４９】
ＮＭＳ１１はＮＥ１２−００２にSNMP  SetRequestを送信する（ステップＳ６０１）。ＮＥ１２−００２はこのSNMP  SetRequestに応じて自身のＭＩＢの”FileDownloadToNEStart”値を”ON(2)”に設定し、”FileDownloadToNEIpAddress”値をＮＥ１２−００３のIP Address(172.18.0.66)に設定する。
【００５０】
ＭＩＢの”FileDownloadToNEStart”が” ON(2)”の場合、ＮＥ１２−００２はＮＥ１２−００２と同じサブネットSubnet-2に属するＮＥ１２−００３／ＮＥ１２−００４／ＮＥ１２−００４中のＮＥにファイル転送を開始する。上記更新後の”FileDownloadToNEIpAddress”値がＮＥ１２−００３のIP Address(172.18.0.66)なので、ＮＥ１２−００２はＮＥ１２−００３にＦＴＰログイン（ステップＳ６０２）し、ファイルダウンロードを開始する（ステップＳ６０３、Ｓ６０４）。
【００５１】
ダウンロード終了後ＮＥ１２−００３からＮＭＳ１１に対し、ダウンロード終了を通知するためのSNMP Trapを送信する（ステップＳ６０５）。このSNMP Trapに応じてＮＭＳ１１はSNMP SetRequestをＮＥ１２−００２に送信（ステップＳ６０６）し、ＮＥ１２−００３へのファイル転送が終了した旨を通知する。
【００５２】
このSNMP SetRequestに応じてＮＥ１２−００２は自身のＭＩＢの”FileDownloadToNEStart”値を”Completed(1)”に設定し、ＮＥ１２−００３へのファイル転送が終了した旨を記録する。また、ＮＥ１２−００２はＮＥ１２−００３にＦＴＰログアウトを送信(ステップＳ６０７）するとともに、ＮＥ１２−００３にＦＴＰログアウトを送信する（ステップＳ６０８）。
【００５３】
以下、ＮＭＳ１１は同様にしてＮＥ１２−００４との間でダウンロード処理を行ない（ステップＳ６０９〜Ｓ６１６）、更にＮＥ１２−００５との間でも同様のダウンロード処理を行なう（ステップＳ６１７〜Ｓ６２４）。
【００５４】
サブネット先頭ＮＥであるか否かに関わらず、ＮＥ１２からファイルの受信完了を示すSNMP Trapを受信したとき、ＮＭＳ１１は、送信元のＮＥ１２に対してSNMPのPDUであるGet-Requestを送信して、そのＮＥ１２が受信したファイルのバージョン情報を取得することとしてもよい。ＮＭＳ１１のローカルな記憶装置に各ＮＥ１２のファイルバージョンを格納するためのファイル・バージョン表に予め保存しておき、ファイルバージョン表におけるそのＮＥ１２のファイルバージョンを、Get-Requestにて取得したバージョン情報にて更新する。このファイルバージョン表は、例えばＮＭＳ１１がＮＥ１２それぞれのＭＩＢをそのまま包含するようなテーブルとして保存することとしてもよい。このように各ＮＥのファイルのバージョン情報をＮＭＳ１１にて保存すれば、ＮＭＳ１１のローカルな記憶装置に、各ＮＥ１２の現在のファイルバージョンが格納されることとなる。従って、ＮＭＳ１１は、全ＮＥ１２へのファイル転送が成功したのか否かを改めて各ＮＥ１２に問い合わせることなく確認することができる。
【００５５】
同一サブネットに複数のＮＥが存在せず、単一のＮＥのみが存在する場合、サブネット先頭ＮＥから他のＮＥへのファイル転送は行なわない。
【符号の説明】
【００５６】
１、１０  無線ネットワークシステム
２、１１  ネットワーク管理システム（Ｎｅｔｗｏｒｋ  Ｍａｎａｇｅｍｅｎｔ  Ｓｙｓｔｅｍ、ＮＭＳ）
３、３−０００１、３−０００２、・・・、３−５０００、１２、１２−００１、１２−００２、・・・、１２−０１３  無線装置、管理対象装置、ＮＥ（Ｎｅｔｗｏｒｋ  Ｅｌｅｍｅｎｔ）
１４  天気予報サーバ
【図１】
0005874894.tif 000005
【図２】
0005874894.tif 000006
【図３】
0005874894.tif 000007
【図４】
0005874894.tif 000008
【図５】
0005874894.tif 000009
【図６】
0005874894.tif 000010
【図７】
0005874894.tif 000011
【図８】
0005874894.tif 000012
【図９】
0005874894.tif 000013
【図１０】
0005874894.tif 000014
【図１１】
0005874894.tif 000015